(57)【要約】  本発明は、底板と、前面パネル（２）と、前面パネル（２）と反対側の後部壁（３）と、引出し（１）の移動方向に延び、かつ、後部壁の端部領域に固定されている中空の輪郭部として実施される２つの側方パネル（４）とを備える引出し（１）に関する。アダプタ輪郭部（５）は、後部壁（３）に関連する端部領域で、対向するパネル（４）の端部に固定され、簡単に組立てることができるように、プラグインコネクタ（６，７，９，１０）および／またはクランプコネクタによって上記の部分は上記の端部領域に接続される。【選択図】  図２
2010502331.tif 000002
【特許請求の範囲】
【請求項１】
引出し（１）であって、
底板と、前面パネル（２）と、前記前面パネル（２）と反対側の後部壁（３）とを有し、前記引出し（１）の移動方向に走行し、かつ、前記後部壁の端部領域に固定して接続される中空の輪郭部として用いられている２つの側方パネル（４）を有する、引出し（１）において、
プラグコネクタ（６，７，９，１０）および／またはクランプコネクタによって前記後部壁（３）の前記端部領域に接続されているアダプタ輪郭部（５）が、前記後部壁に指定されている端部領域に互いに対向している前記パネル（４）の側面に固定されていることを特徴とする、引出し。
【請求項２】
前記プラグコネクタが、ノッチ（６，７）と、該ノツチに係合している挿入つまみ（９，１０）とによって形成されていることを特徴とする、請求項１に記載の引出し。
【請求項３】
前記ノッチ（６，７）および該ノッチに係合している前記挿入つまみ（９，１０）が、形状の適合する方法で互いに接続されていることを特徴とする、請求項２に記載の引出し。
【請求項４】
２つの前記ノッチ（６，７）が各側方パネル（４）に間隔を置いて上下に設けられ、２つの前記挿入つまみ（９，１０）が、前記後部壁に正確な位置にて取り付けられ、または成形により付着されていることを特徴とする、請求項２または３に記載の引出し。
【請求項５】
前記ノッチ（６，７）が挿入ポケットの限界を定め、前記ノッチ（６，７）に隣接し前記後部壁から離れる方向に向く領域が、くぼんでいることを特徴とする、請求項２〜４のいずれか一項に記載の引出し。
【請求項６】
前記アダプタ輪郭部（５）が、少なくとも前記ノッチの領域で前記側方パネル（４）まで間隔を置いていることを特徴とする、請求項１〜５のいずれか一項に記載の引出し。
【請求項７】
前記アダプタ輪郭部がそれぞれ、前方から見た状態でＺ字形であることを特徴とする、請求項１〜６のいずれか一項に記載の引出し。
【請求項８】
前記後部壁（３）が、断面Ｕ字形であり、２つの平行の脚部が、前記前面パネル（２）から離れる方向に向く側に向いており、中間の脚部の端部領域が角度部（８）として用いられていることを特徴とする、請求項１〜７のいずれか一項に記載の引出し。
【請求項９】
前記挿入つまみ（９，１０）が、前記角度部（８）の残りの縁部に対して突出していることを特徴とする、請求項１〜８のいずれか一項に記載の引出し。
【請求項１０】
前記挿入つまみ（９，１０）が、角度をつけられていることを特徴とする、請求項１〜９のいずれか一項に記載の引出し。
【請求項１１】
前記引出し（１）の底面が支持可能である、前記側方パネル（４）に対して垂直な支持ウェブ（１２）が、前記アダプタ輪郭部（５）に取り付けられ、または成形により付着されていることを特徴とする、請求項１〜１０のいずれか一項に記載の引出し。
【請求項１２】
前記引出し（１）の底面を固定するために、各支持ウェブ（１２）が、前記側方パネル（４）の上縁部の方向に向けられている固定部（１４）を備えており、前記固定部（１４）が前記引出し（１）の前記移動方向に走行する前記底面の溝に係合することを特徴とする、請求項１１に記載の引出し。
【請求項１３】
各固定部（１４）が屋根形形状ないしは三角形であることを特徴とする、請求項１２に記載の引出し。
【請求項１４】
前記アダプタ輪郭部（５）が、前記パネル（４）の特定の領域にわたって延び、前記支持ウェブ（１２）が、前記パネル（４）の全長にわたり延びていることを特徴とする、請求項１〜１３のいずれか一項に記載の引出し。
【請求項１５】
端止め（１１）が、前記後部壁（３）に指定されている各支持ウェブ（１２）の領域に取り付けられ、または成形により付着されていることを特徴とする、請求項１〜１４のいずれか一項に記載の引出し。
【請求項１６】
前記端止め（１１）の各々が、前記後部壁（３）から離れる方向に向く側に入口ベベル（１３）を有し、前記後部壁に接触する表面（１５）が、平面として実施され、前記支持ウェブ（１２）に対して垂直であることを特徴とする、請求項１５に記載の引出し。
【請求項１７】
前記角度部（８）が、９０度で、または、前記後部壁（３）の前記中間の脚部に対して９０度よりもわずかに小さな角度で、曲げられていることを特徴とする、請求項８に記載の引出し。
【請求項１８】
前記ノッチ（６，７）が、後方でくぼみ（６ａ，７ａ）によって限界を定められ、その前縁部（６ｂ，７ｂ）に対して、前記後部壁（３）の前記角度部（８）の自由縁（８ａ）が支持のために押圧することを特徴とする、請求項１〜１７のいずれか一項に記載の引出し。
【請求項１９】
前記後部壁（３）が前記側方パネル（４）の前記前縁部（４ａ）に対して押圧し、前記くぼみ（６ａ，７ａ）の前記前縁部（６ｂ，７ｂ）と前記側方パネル（４）の前縁部（４ａ）との間の距離が、前記角度部（８）の前記自由縁（８ａ）と前記後部壁（３）の内側面との間の寸法よりもわずかに小さいことを特徴とする、請求項１８に記載の引出し。
【発明の詳細な説明】
【技術分野】
【０００１】
本発明は、底板と、前面パネルと、前面パネルと反対側の後部壁とを有し、引出しの移動方向に走行し、かつ、中空の輪郭部として実施され後部壁の端部領域に固定して接続されている２つの側方パネルを有する、引出しに関する。
【背景技術】
【０００２】
考察中の引出しは、家具本体において使用される。側方パネルは、これらの引出しの側方の限界部をなし、後部壁および前面パネルは側方パネルに対して横方向であり、底面に対して垂直である。これらの引出しは、たとえば厨房用家具、居間用家具、寝室用家具など、さまざまなタイプの家具においてそのものを実証してきた。
【０００３】
このタイプの家具はまた、特に、いわゆる現金払いストアにおいて分解された状態で販売される。ついで、この家具は一般的に、購入者自身によって組立てられる。家具または引出しなど等の考察中の家具の構成部品は、これらの条件を考慮して設計されなければならない。
【発明の概要】
【発明が解決しようとする課題】
【０００４】
本発明は、技術的に熟練していない人でさえ分解された状態から工具を用いずに組立てることが可能であり、後部壁とパネルとの間を機械的なコネクタなしで接続することのできる、冒頭でより詳細に記載されているタイプの引出しを提供する目的に基づくものである。
【課題を解決するための手段】
【０００５】
アダプタ輪郭部が、後部壁に指定されている端部領域で互いに対向しているパネルの側面に固定され、プラグコネクタおよび／またはクランプコネクタによって後部壁の端部領域に接続されていることにおいて、明示した目的は達成される。
【０００６】
アダプタ輪郭部は、引出しの製造業者によって側方パネルにすでに固締されている。接続部がプラグコネクタおよび／またはクランプコネクタを含むので、後部壁の側方パネルへの接合は、この設計によってすでにあらかじめ定められ、そのため、組立てがそれに応じて自然に生じる。プラグコネクタおよび／またはクランプコネクタは、接続が正確な順序でのみ行われることができるような方法で設計されることになる。
【０００７】
特に簡単な方法で、プラグコネクタは、ノッチおよびそこに係合している挿入つまみによって形成されている。挿入つまみは、特に、これらの挿入つまみを挿入した後で、互いに指定されている領域間で形状が適合されるような方法で設計されることができる。後部壁とそれぞれの側方パネルとの間を当然に安定して接続するために、２つのノッチが各側方パネルに間隔を置いて上下に設けられ、２つの挿入つまみが、後部壁に正確な位置に取り付けられるかまたは成形されることが提供されている。ノッチと挿入つまみとの間の接続が垂直力作用によって外れることができないようにするために、ノッチが挿入ポケットの限界を定め、ノッチに隣接して後部壁から離れて対向している領域がくぼんでいることが提供されている。
【０００８】
挿入つまみがまた、ノッチまたは挿入ポケットに挿入可能となるように、アダプタ輪郭部が、少なくともノッチの領域にある自由空間に位置し、アダプタ輪郭部は、側方パネルまで少なくともノッチの領域に間隔を置いている。したがって、それぞれのアダプタ輪郭は、前面図がＺ字形である。たとえば、上縁部領域は、スポット溶接または接着によって関連する側方パネルに接続されることができ、アダプタ輪郭部は金属を含む。
【０００９】
後部壁は、断面図がＵ字形である。このことは、たとえば対応する輪郭部分によってなされることができる。知られている方法では、平行の脚部は２つの脚部間の間隔よりもかなり短い。後部壁とアダプタ輪郭部および／または側方パネルとの間を容易に接続することができるように、中間の脚部の端部領域は、角度をつけられている。この角度をつけられた部分は、引出しの前面パネルから離れて対向する側および／または後側に向いている。中間の脚部までの囲まれている角度のある領域の角度は、中間の脚部に対して直角である。この角度のある部分によって、挿入つまみを溝に、かつ／または挿入ポケットに挿入することが極めて簡単になる。
【００１０】
挿入つまみが角度のある領域の残りの自由縁に対して突出している場合、特に有利となる。挿入つまみおよびノッチおよび／または挿入ポケットの噛合い領域を強化することができるように、挿入つまみが角度をつけられることもまた提供されている。
【００１１】
側方パネルに対して垂直な支持ウェブが、引出しの底面が支持可能である各アダプタ輪郭部に取り付けられるか成形される場合、引出しの底面を固定するための特に簡単な実施形態が提供される。支持ウェブは、引出しの組立てられた状態では水平面にあり、互いの方に向けられている。
【００１２】
引出しの底面を固定するために、各支持ウェブは、側方パネルの上縁部に向けられている固定部を備えており、固定部は引出しの移動方向に走行している底面の溝に係合する。この支持ウェブは金属から製造されるので、各固定部は屋根の形状であるか三角形であり、２つのノッチ間に位置する領域を変形することによって形成される。各アダプタ輪郭部が引出しの後部壁に指定される後方領域にわたって延びる一方で、２つの支持ウェブはパネルの全長にわたり延びている。後部壁とアダプタ輪郭部との間の接続部をさらに固定するために、端止めが、後部壁に指定される支持ウェブの後方領域に取り付けられるかまたは成形されていることもまた、提供されている。補強するために、端止めは、後部壁から離れて対向している側に入口ベベルを有することが提供されている。したがって、後部壁が最初にパネルに対して傾斜した位置に導かれ、続いて、後部壁がそれに対して直角になるまでパネルに向かう方向に旋回するという利点が生じる。ついで、この止め具によって、後部壁が当初の方向と反対に旋回できなくなる。
【００１３】
本発明を、添付の図面に基づいてより詳細に説明する。
【図面の簡単な説明】
【００１４】
【図１】前面パネルに向かって、かつ後部壁の内面および側面に向かって見た、引出しの斜視図である。
【図２】前面パネルから離れて対向している後部壁の表面に向かって見た、アダプタ輪郭部への後部壁の端部領域の接続を示す分解図である。
【図３】図２に対応するが、挿入された状態のアダプタ輪郭部を有する後部壁を示す図である。
【図４】引出し内部から見た、後部壁へのアダプタ輪郭部の接続を示す図である。
【図５】図４に対応するが、後部壁が旋回して最終位置にある図である。
【図６】前面パネルから離れて対向している後部壁の表面に向かって見た、アダプタ輪郭部と後部壁との間の接続を示す図である。
【図７】端止めおよび固定部を示す詳細図である。
【図８】引出しの角領域をその後側方から見た部分斜視図である。
【発明を実施するための形態】
【００１５】
図１に示されている引出し１は、本質的に、前面パネル２、後部壁３、および２つの側方パネル４を備えている。
【００１６】
２つの側方パネル４の後部壁３への接続部が、図２から図６に基づいてより詳細に説明されているが、簡略化して説明するという理由のために、１つの接続部のみが常に示されている。
【００１７】
図２が示すように、アダプタ輪郭部５が、内部に、すなわち互いの方へ対向する側方パネル４の側面に、固定されている。アダプタ輪郭部５は、後方領域にある。より詳細に示されていない方法で、複数のアダプタ輪郭部５は、側方パネル４に固定されることができる。各アダプタ輪郭部５は前面図がＺ字形であり、上方領域が側方パネル４の内面を押圧する。後部壁３は、より詳細に説明する方法で、プラグコネクタおよび／またはクランプコネクタを介して後方のアダプタ輪郭部５に固定されている。間隔を置いて配置され上下に位置する２つのノッチ６、７が、アダプタ輪郭部５に導入されて、これらの接続部を形成する。ノッチ６、７のための後部壁３から離れて対向している縁部領域がそれぞれ膨出して、図８に極めて明確に示されているように、くぼみ６ａおよび７ａによって反対側のアダプタ部５の方にくぼむので、挿入ポケットがノッチ６、７によって限界を定められている。
【００１８】
後部壁３は、断面図がＵ字形であり、２つの平行の脚部は、平行の脚部の間に位置する中間の脚部よりもかなり短い。さらに、これらの平行の脚部は、前面パネル２の反対側の方向に角度をつけられている。後部壁３の中間の脚部の２つの端部領域は角度をつけられており、中間の脚部に対して多くても直角であって、角度部８と後部壁３の中間の脚部の後側方との間のわずかに９０度より小さな角度が好ましい。これらの角度部は、参照番号８によって特定されている。２つの挿入つまみ９、１０がこれらの角度部８の残りの自由縁８ａ（図８を参照）に対して突出しており、挿入つまみ９、１０は、ノッチ６、７に、かつ／または挿入ポケットに挿入される。この目的のために、後部壁３はまず、側方パネル４に対して斜めの位置に導かれる。挿入つまみ９、１０が角度をつけられているので、パネル４に向かう方向に後部壁３を回転させてそれに対して垂直な位置にした後、つまみがノッチ６、７および／または挿入ポケットから抜き取られることは、もはやできない。１つの側方パネル４が後部壁３に接続されたあと、側方パネル４と後部壁３との間の囲まれた角度が鈍角となるように、次の側方パネル４が、ある位置に導かれる。続いて、後部壁３と側方パネル４との間をついで相対的に旋回して、対応する最終的な組立位置になる。
【００１９】
引出し１の内部チャンバに対向する後部壁の内部側面は、組立てられた状態では側方パネル４の前縁部４ａを押圧し、この前縁部４ａは図２により特に識別されている。角度部８の自由縁８ａもまた、図８に明確に示されているように、組立てられた状態で、それぞれくぼみ６ａおよび７ａの限界を定める前縁部６ｂおよび７ｂを後部壁側に向かって押圧する。完全で密閉された接触が、後部壁３と側方パネル４の前縁部４ａとの間の接触領域に生じるように、前縁部６ｂおよび７ｂと側方パネル４の前縁部４ａとの間の間隔が、引用された前縁部６ａおよび７ｂに支持される自由縁８と後部壁３の内側面との間の寸法よりもいくぶん小さく保たれることになる。したがって、後部壁３が予張力下で側方パネル４の前縁部４ａに押圧される。したがって、後部壁の完全で少なくとも視覚的に隙間がない前縁部４ａへの接触が保証される。
【００２０】
側方パネル４および後部壁３が最終的な機能的位置に移動した後、引出し１が安定化され、端止め１１によって後部壁３が反対側の方向に回転するのを防ぐ。特に図２から図６に示されているように、引出し１の深さにわたって延びている支持ウェブ１２が、アダプタ輪郭部５に取り付けられるかまたは成形されている。支持ウェブ１２は、パネル４の面に対して垂直であり、引出し１の底面（図示せず）の支持部を形成する。
【００２１】
端止め１１は、冷間成形によって形成され、引出しの最終状態に対して後部壁３から離れて対向する側に入口ベベル１３を有する。後部壁３の指定された領域は、側方パネル４に対して垂直な位置に旋回すると、このベベルを飛び越える。後部壁３に対向するこの端止め１１の表面１６は、支持ウェブ１２に対して垂直であるので、後部壁３が戻って旋回するのを防ぐ。
【００２２】
互いにある距離をおいて設置されている複数の固定部１４が、引出し１の底面のために支持ウェブ１２に導入されており、固定部１４は、側方パネル４の上縁部に向かう方向に向けられている。これらの固定部１４は、平行に互いにある距離をおいて走行する２つのノッチによって形成され、ノッチの間に位置する領域は、側方パネル４の上縁部に向かう方向に成形されている。したがって、固定部１４は、三角形であるか、屋根の形状である。固定部１４は、引出し１の移動方向に走行する底面の溝に係合する。
【００２３】
側方パネル４、アダプタ部５、および後部壁は、一般的に冷間成形によって金属から製作される。注意されたいのは、端止め１１および固定部１４はまた、挿入ピンなどによって形成され得ることである。
【００２４】
図６が示しているのは、特定のパネル４に対して垂直の位置に後部壁３が回転した後、壁部が端止め１１を飛び越えて、戻って回転するのを防止されていることである。アダプタ輪郭部の外表面は、図２および図３では参照番号１５によって特定されている。図４は、側方パネル４に対して垂直な位置に後部壁３を回転すると、壁部が入口ベベル１３を飛び越すことを示している。図５は、パネル４に対して垂直な位置に後部壁３を最終的に移動させた後、後部壁３が端止め１１を飛び越していることを示している。したがって、端止め１１をこの図から認識することはできない。
【００２５】
図６は、パネル４に対して最終位置にある後部壁３を示している。したがって、後部壁３は端止め１１を飛び越ており、後部壁３は前面パネル２から離れて対向する側に位置している。さらに、断面図がＵ字形である後部壁３の中間ウェブの終端の角度部８を認識することができる。
【００２６】
最後に、図７はまた、固定部１４の屋根の形状または三角形の設計を示しており、固定部１４は支持ウェブ１２から冷間成形によって製作されたものである。さらに、この図が示しているのは、端止め１１が、前面パネル２から離れて対向している側に入口ベベル１３を有し、前面パネル２に対向している領域、または、前面パネル２に対向している表面１６が、支持ウェブ１２に対して垂直であり、したがって、後部壁３が戻って回転するのを防ぐことである。
【００２７】
本発明は、示されている例示的実施形態に限定されるものではない。必須であるのは、機械的なコネクタを用いずに、かつ工具の助けをかりずに、技術的に熟練していない家具の購入者によって後部壁３を側方パネル４に接続することもまた可能であるということである。この目的のために、ノッチ６、７および挿入つまみ９、１０によって形成されるプラグ接続部および／またはクランプ接続部は、プラグ接続部および／またはクランプ接続部がそれに応じて互いに正確な指定を設けるような方法で設計されることになる。さらに、有意であるのは、特定の側方パネル４に対して垂直な位置に後部壁３を移動させた後、後部壁３の下方境界領域が端止め１１を飛び越しているので、壁部が戻って旋回できないことである。さらに、ノッチ６、７および挿入つまみ９、１０によって形成される接続は、引出し１が必要な固有の安定性を有するように実施されることになる。
【図１】
2010502331.tif 000003
【図２】
2010502331.tif 000004
【図３】
2010502331.tif 000005
【図４】
2010502331.tif 000006
【図５】
2010502331.tif 000007
【図６】
2010502331.tif 000008
【図７】
2010502331.tif 000009
【図８】
2010502331.tif 000010
【国際調査報告】
2010502331.tif 000011
2010502331.tif 000012
2010502331.tif 000013
2010502331.tif 000014
2010502331.tif 000015
2010502331.tif 000016